(57)【要約】【課題】本発明は、照明角度を調整できる発光ダイオードランプを提供する。【解決手段】本発明の発光ダイオードランプは、ランプチューブ及びランプチューブの両端に設けられ且つ外部の電源と接続するための口金を備える。口金は、ランプチューブの端部に固定されている固定部及び固定部の外側に設置され且つ固定部に対して回転可能な操作部を備える。固定部は、カバー及びカバーの操作部に対向する外表面に設置される歯板を備え、カバーの中央には、カバー及び歯板を貫通する枢着孔が設けられている。操作部は、底板、底板に設けられている枢着壁及び複数の係止板を備え、操作部の枢着壁は、固定部の枢着孔内に枢着され、係止板は、固定部の歯板に係合され且つ固定部の外表面に当接される。操作部の係止板を歯板に沿って回転させて歯板の異なる位置に係合させるように操作部を回転させる。これにより、発光ダイオードランプの照明角度を調整することができる。【選択図】図５
2015130341.tif 000002
【特許請求の範囲】
【請求項１】
ランプチューブ及び前記ランプチューブの両端に設けられ且つ外部の電源と接続するための口金を備える発光ダイオードランプにおいて、
前記口金は、前記ランプチューブの端部に固定される固定部及び前記固定部の外側に設置され且つ前記固定部に対して回転可能な操作部を備え、前記固定部は、カバー及び該カバーの前記操作部に対向する外表面に設置されている歯板を備え、前記カバーの中央には、前記カバー及び前記歯板を貫通する枢着孔が設けられ、前記操作部は、底板、前記底板に設けられている枢着壁及び複数の係止板を備え、前記操作部の枢着壁は、前記固定部の枢着孔内に枢着され、前記係止板は、前記固定部の歯板に係合され且つ前記固定部の外表面に当接され、前記操作部の係止板を前記歯板に沿って回転させて、前記歯板の異なる位置に係合させるよう前記操作部を回転させ、これにより、前記操作部は、前記固定部及び前記固定部に固定されているランプチューブに対して一定の角度回転させることができ、これにより、前記発光ダイオードランプの照明角度を調整することができることを特徴とする発光ダイオードランプ。
【請求項２】
前記枢着孔の内壁には、環状の階段部が形成され、前記枢着壁は、前記底板から前記枢着孔に向かって延伸する垂直壁及び前記垂直壁の頂端から外へ水平に延伸するフランジを備え、前記垂直壁は、前記枢着孔に挿入され、前記フランジは、前記階段部の内表面に摺動可能に当接されることを特徴とする請求項１に記載の発光ダイオードランプ。
【請求項３】
前記カバーの前記操作部に対向する外表面の辺縁には、当止部が形成され、前記操作部は、前記底板の周縁から前記固定部のカバーに向かって延伸する周壁を備え、前記周壁には、周壁から外へ突出するブロックが形成され、前記操作部が前記固定部に対して最大角度まで回転されると、前記操作部のブロックは、前記固定部の当止部によって当止されることを特徴とする請求項１又は２に記載の発光ダイオードランプ。
【請求項４】
前記当止部の頂部には、第一指示溝が設けられ、前記操作部の頂面の周縁には、複数の第二指示溝が設けられ、前記第一指示溝及び前記第二指示溝は、前記操作部の前記固定部に対して回転された角度を表示するために用いられることを特徴とする請求項３に記載の発光ダイオードランプ。
【発明の詳細な説明】
【技術分野】
【０００１】
本発明は、ランプに関し、特に発光ダイオードランプに関するものである。
【背景技術】
【０００２】
従来の発光ダイオードランプは、ランプチューブ及びランプチューブの両端に設けられ且つ外部の電源と接続するための口金を備える。しかし、従来の発光ダイオードランプは、電源ソケットに固定された後は、その照明角度を調整することができないため、使用に不便である。
【発明の概要】
【発明が解決しようとする課題】
【０００３】
前記課題を解決するために、本発明は、照明角度を調整できる発光ダイオードランプを提供する。
【課題を解決するための手段】
【０００４】
本発明に係る発光ダイオードランプは、ランプチューブ及びランプチューブの両端に設けられ且つ外部の電源と接続するための口金を備える。口金は、ランプチューブの端部に固定される固定部及び固定部の外側に設置され且つ固定部に対して回転可能な操作部を備える。固定部は、カバー及びカバーの操作部に対向する外表面に設置されている歯板を備え、カバーの中央には、カバー及び歯板を貫通する枢着孔が設けられている。操作部は、底板、底板に設けられている枢着壁及び複数の係止板を備え、操作部の枢着壁は、固定部の枢着孔内に枢着され、係止板は、固定部の歯板に係合され且つ固定部の外表面に当接される。操作部の係止板を歯板に沿って回転させて歯板の異なる位置に係合させるように操作部を回転させる。これにより、操作部は、固定部及び前記固定部に固定されているランプチューブに対して一定の角度回転させることができ、これにより、発光ダイオードランプの照明角度を調整することができる。
【発明の効果】
【０００５】
従来の技術と比べて、本発明の発光ダイオードランプにおいて、口金が、ランプチューブの両端に固定されている固定部及び該固定部の外側に設置される操作部を備え、操作部が、固定部及び固定部に固定されるランプチューブに対して回転できる。これにより、発光ダイオードランプの照明角度を調整することができる。
【図面の簡単な説明】
【０００６】
【図１】本発明の実施形態に係る発光ダイオードランプの立体斜視図である。
【図２】図１に示した発光ダイオードランプの口金の立体斜視図である。
【図３】図２に示した発光ダイオードランプの口金を反転させた立体斜視図である。
【図４】図２に示した発光ダイオードランプの口金の分解斜視図である。
【図５】図４に示した発光ダイオードランプの口金を反転させた分解斜視図である。
【図６】図２に示した発光ダイオードランプの口金のＶＩ―ＶＩに沿う断面図である。
【発明を実施するための形態】
【０００７】
以下、図面を参照して、本発明の実施形態について説明する。
【０００８】
図１を参照すると、本発明の実施形態に係る発光ダイオードランプ１は、ランプチューブ２０及び該ランプチューブ２０の両端に設けられている２つの口金４０を備える。口金４０は、外部の電源に接続されるために用いられる。
【０００９】
ランプチューブ２０は、放熱ベース２１と、該放熱ベース２１に設置されている基板２２と、基板２２に覆設されているランプシェード２３と、を備える。
【００１０】
図２〜図４を参照すると、口金４０は、固定部４１及び該固定部４１の外側に設置され且つ固定部４１に対して回転可能に設置されている操作部４３を備える。
【００１１】
固定部４１は、略円筒状を呈し、板状のカバー４１１と、カバー４１１の周縁から延伸する側壁４１２と、カバー４１１の外表面の中央に設置されている円形の歯板４１３と、を備える。
【００１２】
固定部４１のカバー４１１の中央には、カバー４１１及び歯板４１３を貫通する枢着孔４１４が設けられている。枢着孔４１４の内径は、歯板４１３の外径より小さい。
【００１３】
カバー４１１の内表面の中央には、操作部４３に向けて凹んだ環状のスライド溝４１１０が形成されている。該スライド溝４１１０は、枢着孔４１４と連通している。スライド溝４１１０の外径は、枢着孔４１４の内径より大きく、スライド溝４１１０内には、環状の階段部４１１１が形成されている。
【００１４】
側壁４１２は、カバー４１１と協働してランプチューブ２０の端部を収容するための収容部４１５を形成する。
【００１５】
歯板４１３の周縁の側壁には、複数の歯状の突起４１３０が連続して形成されている。突起４１３０は、歯板４１３の高さ方向に沿って延伸している。隣接する突起４１３０の間には、係合溝４１３１が形成されている。本実施形態において、歯板４１３は、固定部４１のカバー４１１の外表面の中央から外へ延伸して一体に形成される。
【００１６】
歯板４１３の周囲のカバー４１１には、ランプチューブ２０と口金４０とを接続するワイヤ（図示せず）を貫通させるためのアーク状の孔４１６が設けられている。
【００１７】
図２及び図５を参照すると、操作部４３は、底板４３１、周壁４３２、２つの枢着壁４３３、複数の係止板４３４、２つの固定柱４３５及び２つの電極ピン４３６を備える。
【００１８】
底板４３１は、周壁４３２と協働して収容空間４３１０を形成する。本実施形態において、収容空間４３１０の口径は、固定部４１のカバー４１１のサイズより小さい。
【００１９】
周壁４３２は、底板４３１の周縁から固定部４１のカバー４１１に向かって垂直に延伸して形成されている。周壁４３２は、枢着壁４３３及び複数の係止板４３４を囲んでいる。
【００２０】
枢着壁４３３は、弾性力を有している弾性壁である。枢着壁４３３は、底板４３１の中央から固定部４１に向かって垂直に延伸して形成されている。枢着壁４３３の高さは、周壁４３２の高さより高い。枢着壁４３３は、固定部４１の枢着孔４１４に対応して設置されている。
【００２１】
２つの枢着壁４３３は、互いに間隔をあけて対向して設置されており、各枢着壁４３３は、垂直壁４３３１及び垂直壁４３３１の頂端に形成されているフランジ４３３２を備える。
【００２２】
２つの垂直壁４３３１の内表面は、それぞれ互いに離れる方向に向かって凹んでいる。これにより、垂直壁４３３１の内表面には、垂直のアーチ型の溝が形成されている。フランジ４３３２は、垂直壁４３３１の頂端から外（他方の枢着壁４３３から離れる方向）へ水平に延伸して形成されている。フランジ４３３２は、扇状を呈し、そのサイズは、固定部４１の枢着孔４１４の内周縁の階段部４１１１のサイズと一致する。
【００２３】
係止板４３４は、２つの垂直壁４３３１の一側の外周に設置され、且つ底板４３１の表面から垂直に延伸して形成されている。係止板４３４の高さは、枢着壁４３３の高さより低い。
【００２４】
係止板４３４は、底板４３１から垂直に延伸する本体４３４１及び本体４３４１の頂端から上方へ垂直に延伸する係合部４３４２を備える。本実施形態において、係止板４３４の係合部４３４２は、固定部４１の歯板４１３の係合溝４１３１と係合するために用いられる。
【００２５】
本実施形態において、係止板４３４の数量は、３つであり、３つの係止板４３４は、等間隔に円弧状に配列されている。これにより、３つの係止板４３４は、歯板４１３の異なる係合溝４１３１と係合することができるため、操作部４３と固定部４１との間の相対運動をより良く制限することができる。
【００２６】
固定柱４３５は、円柱状を呈し、操作部４３の底板４３１の内表面から上方へ垂直に延伸して形成されている。固定柱４３５には、固定柱４３５の軸方向に沿って固定柱４３５及び底板４３１を貫通する貫通孔４３５１が形成されている。貫通孔４３５１の内周面には、固定柱４３５の軸方向に沿って延伸する複数のガイド溝４３５２が互いに離間して設けられている。
【００２７】
２つの電極ピン４３６は、操作部４３に固定される。この際、電極ピン４３６は、操作部４３の外表面から外へ延伸するため、外部の電源と接続することができる。
【００２８】
電極ピン４３６は、固定端４３６１及び接続端４３６２を備える。固定端４３６１は、円柱状を呈し、その長さは、固定柱４３５の貫通孔４３５１の長さと同じである。固定端４３６１の外周面には、固定端４３６１の軸方向に沿って延伸する複数のリブ４３６３が互いに離間して設けられている。複数のリブ４３６３は、それぞれ固定柱４３５の貫通孔４３５１の対応するガイド溝４３５２内に係合することができる。接続端４３６２は、円柱状を呈し、固定端４３６１の軸方向外端面の中央から外へ垂直に延伸する。接続端４３６２の外径は、固定端４３６１の外径より小さい。接続端４３６２は、外部の電源のソケットと接続するために用いられる。
【００２９】
図６を参照すると、発光ダイオードランプ１を組み立てる場合、先ず、口金４０の操作部４３の枢着壁４３３を枢着孔４１４内に挿入する。この際、枢着壁４３３の頂端のフランジ４３３２は、固定部４１のスライド溝４１１０内に収容され、且つ階段部４１１１の内表面に摺動可能に当接される。これにより、操作部４３は、固定部４１に回転可能に枢着される。この際、操作部４３の複数の係止板４３４は、固定部４１の歯板４１３に係合され、且つ係止板４３４の頂端の係合部４３４２は、固定部４１の外表面に当接される。次に、２つの電極ピン４３６の固定端４３６１を固定柱４３５の貫通孔４３５１に挿入する。これにより、２つの電極ピン４３６は、操作部４３に挿設され、且つその接続端４３６２は操作部４３から露出する。
【００３０】
発光ダイオードランプ１の照明角度を調整する場合、操作部４３を回転させ、操作部４３の枢着壁４３３のフランジ４３３２を固定部４１のスライド溝４１１０内の階段部４１１１に沿って回転させる。この際、操作部４３の係止板４３４は、歯板４１３の１つの係合溝４１３１から他の１つの係合溝４１３１にスライドされ、これにより、固定部４１及び固定部４１に固定されているランプチューブ２０は、操作部４３に対して一定の角度回転するため、発光ダイオードランプ１の照明角度を調整することができる。
【００３１】
さらに、係止板４３４の数量は、３つであるため、操作部４３が固定部４１に対して一定の角度回転した後、３つの係止板４３４は、それぞれ歯板４１３の異なる係合溝４１３１に係合される。これにより、回転された後の操作部４３は、固定部４１に安定して固定することができる。
【００３２】
図２を参照すると、本発明の発光ダイオードランプ１の固定部４１は、さらに、当止部４２を備える。該当止部４２は、矩形を呈し、固定部４１の操作部４３に対向する表面の辺縁から上方へ垂直に延伸して形成されている。
【００３３】
また、操作部４３の周壁４３２は、第一円弧壁４３２１と、第二円弧壁４３２２と、第一円弧壁４３２１及び第二円弧壁４３２２を連接する２つのブロック４３２３と、を備える。
【００３４】
第一円弧壁４３２１及び第二円弧壁４３２２の外周面には、それぞれ第一円弧壁４３２１及び第二円弧壁４３２２の軸方向に沿って延伸する複数の円弧状の突起４３２４が互いに離間して設けられている。
【００３５】
第二円弧壁４３２２の長さは、第一円弧壁４３２１の長さより短い。即ち、第二円弧壁４３２２に対応する中心角は、第一円弧壁４３２１に対応する中心角より小さい。本実施形態において、第一円弧壁４３２１に対応する中心角は、１８０度であり、第二円弧壁４３２２に対応する中心角は、１８０度より小さい。
【００３６】
隣接する２つの突起４３２４を連接する円弧に対応する中心角は、固定部４１の歯板４１３の隣接する２つの突起４１３０を連接する円弧に対応する中心角に等しい。これにより、操作部４３の係止板４３４が固定部４１の歯板４１３に対して回転された角度は、操作部４３の第一円弧壁４３２１が固定部４１の当止部４２に対して回転された角度に等しい。
【００３７】
ブロック４３２３は、矩形を呈し、その幅は、固定部４１の当止部４２の幅とほぼ同じである。ブロック４３２３は、周壁４３２から外へ突出し、その突出した高さは、突起４３２４の高さより高い。
【００３８】
操作部４３及び固定部４１が組み立てられた際、固定部４１の当止部４２は、操作部４３の第一円弧壁４３２１の側に位置し、且つ第一円弧壁４３２１と離間して設置される。操作部４３が時計回りの方向又は反時計回りの方向に沿って固定部４１に対して最大角度まで回転されると、操作部４３のブロック４３２３は固定部４１の当止部４２によって当止される。これにより、操作部４３の更なる回転を制限できるため、操作部４３が固定部４１に対して過度に回転されて損傷することを防止できる。
【００３９】
また、操作部４３を固定部４１に対して正確に一定の角度回転させるために、当止部４２の頂部には、さらに、第一指示溝４２５が設けられている。第一指示溝４２５は、当止部４２の頂面から凹んで形成され、操作部４３の固定部４１に対して回転した角度を表示するために用いられる。第一指示溝４２５の横断面は、三角形を呈し、操作部４３の第一円弧壁４３２１を指す。
【００４０】
操作部４３の頂面の周縁には、複数の第二指示溝４３７が形成されている。複数の第二指示溝４３７は、第一円弧壁４３２１の一つの突起４３２４にそれぞれ対応する。本実施形態において、第二指示溝４３７の数量は、５つであり、且つ５つの第二指示溝４３７は、第一円弧壁４３２１を等分する。
【００４１】
隣接する２つの指示溝４３７間の突起４３２４の数量は、５つであり、隣接する２つの指示溝４３７を連接する円弧に対応する中心角は、４５度であり、隣接する２つの突起４３２４を連接する円弧に対応する中心角は、７．５度である。即ち、操作部４３が固定部４１に対して回転する最小角度は、７．５度である。
【００４２】
操作部４３の係止板４３４が、固定部４１の歯板４１３に沿って７．５度回転した場合、固定部４１の当止部４２の第一指示溝４２５は、第一円弧壁４３２１の１つの突起４３２４から他の１つの突起４３２４を指す。操作部４３が固定部４１に対して４５度回転した場合、第二指示溝４３７は、第一指示溝４２５に対応する。
【００４３】
以上のように、ユーザは、必要に応じて一定の角度回転できるため、発光ダイオードランプ１の照明角度を正確に調整することができる。また、他の実施形態において、隣接する第二指示溝４３７間の突起４３２４の数量を増減することによって、操作部４３の固定部４１に対する最小回転角度を調整できる。
【００４４】
また、従来の技術のネジ固定方式に比べて、操作部４３の枢着壁４３３と固定部４１の枢着孔４１４とは枢着されるため、本発明の操作部４３及び固定部４１の着脱は、簡単である。
【符号の説明】
【００４５】
１  発光ダイオードランプ
２０  ランプチューブ
２１  放熱ベース
２２  基板
２３  ランプシェード
４０  口金
４１  固定部
４２  当止部
４３  操作部
４１１  カバー
４１２  側壁
４１３  歯板
４１４  枢着孔
４１５  収容部
４１６  孔
４２５  第一指示溝
４３１  底板
４３２  周壁
４３３  枢着壁
４３４  係止板
４３５  固定柱
４３６  電極ピン
４３７  第二指示溝
４１１０  スライド溝
４１１１  階段部
４１３０、４３２４  突起
４１３１  係合溝
４３１０  収容空間
４３２１  第一円弧壁
４３２２  第二円弧壁
４３２３  ブロック
４３３１  垂直壁
４３３２  フランジ
４３４１  本体
４３４２  係合部
４３５１  貫通孔
４３５２  ガイド溝
４３６１  固定端
４３６２  接続端
４３６３  リブ
【図１】
2015130341.tif 000003
【図２】
2015130341.tif 000004
【図３】
2015130341.tif 000005
【図４】
2015130341.tif 000006
【図５】
2015130341.tif 000007
【図６】
2015130341.tif 000008